(57)【要約】      （修正有）【課題】正面からの飛沫を有効にブロックできるマチ付ポケットマスクを提供する。【解決手段】使用者の顔の口部を覆うマスクであって、外側に位置する外層部１０と、外層部よりも使用者の口部側に位置する内層部２０とを有し、外層部には、使用者の口部を覆う面積を有する非通気性シート１１が設けられ、外層部と内層部との間には、空気の通路を形成する、マチを有するマチ付きポケット３０が設けられている。マスクの下部には、使用者の顔面とマスク下部との間に空気通路用の隙間を形成可能な空気通路用ワイヤー４１が設けられている。内層部には、使用者の口部を覆う面積を有する花粉カットフィルター２５が２枚重ねで設けられている。【選択図】図１
0003229442.tif 000002
【実用新案登録請求の範囲】
【請求項１】
使用者の顔の口部を覆うマスクであって、
外側に位置する外層部（１０）と、この外層部（１０）よりも使用者の口部側に位置する内層部（２０）とを有し、
前記外層部（１０）には、使用者の口部を覆う面積を有する非通気性シート（１１）が設けられており、
前記外層部（１０）と内層部（２０）との間には、空気の通路を形成する、マチを有するマチ付きポケット（３０）が設けられていることを特徴とするマチ付ポケットマスク。
【請求項２】
請求項１において、
前記マスクの下部には、使用者の顔面とマスク下部との間に空気通路用の隙間を形成可能な空気通路用ワイヤー（４１）が設けられていることを特徴とするマチ付ポケットマスク。
【請求項３】
請求項１または２において、
前記内層部（２０）には、使用者の口部を覆う面積を有する花粉カットフィルター（２５）が２枚重ねで設けられていることを特徴とするマチ付ポケットマスク。
【請求項４】
請求項１〜３のうちいずれか一項において、
前記内層部（２０）の上部には、内層部（２０）と利用者の鼻部との隙間を狭めるためのノーズワイヤー（４２）が設けられていることを特徴とするマチ付ポケットマスク。
【請求項５】
請求項１〜４のうちいずれか一項において、
前記内層部（２０）は、前記外層部（１０）側に位置する第１内層部（２１）と、この第１内層部（２１）よりも使用者の顔側に位置する第２内層部（２２）とを有し、
第１内層部（２１）と第２内層部（２２）との間には第２ポケット（２３）が形成され、
この第２ポケット（２３）は縦方向に伸びる仕切で左右２室に区画され、
左右２室にはそれぞれ保冷剤（４４）を収納可能であることを特徴とするマチ付ポケットマスク。
【請求項６】
請求項１〜５のうちいずれか一項において、
前記外層部（１０）の外面下部には、使用者名を表示可能な表示部（１３）が設けられていることを特徴とするマチ付ポケットマスク。
【請求項７】
請求項１〜６のうちいずれか一項において、
前記マチ付きポケット（３０）に下部を差し込むことができるフェイスシールド（５０）をさらに備え、
このフェイスシールド（５０）は、前記マチ付きポケット（３０）に差し込むことでマスク上にフェイスシールド（５０）を支持する差込部（５１）と、
この差込部（５１）の上部において、使用者の少なくとも顔面前部を覆うシールド部（５２）とを有し、
前記差込部（５１）には、通気用開口（５３）が設けられていることを特徴とするマチ付ポケットマスク。
【請求項８】
請求項７において、
前記差込部（５１）における通気用開口（５３）の上部と、該上部に対向するマチ付きポケット（３０）の内部には、互いに接合／分離可能な仮固定部材（３４，５４）が設けられていることを特徴とするマチ付ポケットマスク。
【考案の詳細な説明】
【技術分野】
【０００１】
本考案は、マチ付ポケットマスクに関するものである。
【背景技術】
【０００２】
従来、例えば特許文献１に見られるように、
「遮蔽効果の高いマスクを提供する」ことを課題とし、。
「顔の一部を被覆可能な布帛部２及び耳掛け部３を備えるマスクであって、布帛部に設けられた開閉可能なポケット５と、ポケットの中に脱着可能に収容されてなるフィルターシートとしてメルトブローン不織布６とを備え、洗浄によって繰り返し使用できると共に、メルト
が知られている。
【０００３】
しかしこのものは、正面からの飛沫を必ずしも有効にはブロックできないという難点があった。
【先行技術文献】
【特許文献】
【０００４】
【特許文献１】実用新案登録第3227263号公報
【考案の概要】
【考案が解決しようとする課題】
【０００５】
本考案が解決しようとする課題は、正面からの飛沫を有効にブロックできるマチ付ポケットマスクを提供することである。
【課題を解決するための手段】
【０００６】
上記課題を解決するために、本考案のマチ付ポケットマスクは、
使用者の顔の口部を覆うマスクであって、
外側に位置する外層部と、この外層部よりも使用者の口部側に位置する内層部とを有し、
前記外層部には、使用者の口部を覆う面積を有する非通気性シートが設けられており、
前記外層部と内層部との間には、空気の通路を形成する、マチを有するマチ付きポケットが設けられていることを特徴とする。
【０００７】
このマチ付ポケットマスクは上記の構成となっているので、次のような作用効果が得られる。
外側に位置する外層部と、この外層部よりも使用者の口部側に位置する内層部とを有し、外層部には、使用者の口部を覆う面積を有する非通気性シートが設けられているので、この非通気性シートによって、正面からの飛沫を有効にブロックすることができる。
非通気性シートが設けられていることによって通気性は低下するが、外層部と内層部との間には、空気の通路を形成する、マチを有するマチ付きポケットが設けられているので、このマチ付きポケットによって、通気性が確保される。
【０００８】
このマチ付ポケットマスクにおいては、
前記マスクの下部には、使用者の顔面とマスク下部との間に空気通路用の隙間を形成可能な空気通路用ワイヤーが設けられている構成とすることができる。
【０００９】
このように構成すると、マスク下部からの通気を得るようにもすることができる。
【００１０】
このマチ付ポケットマスクにおいては、
前記内層部には、使用者の口部を覆う面積を有する花粉カットフィルターが２枚重ねで設けられている構成とすることができる。
【００１１】
このように構成すると、花粉も有効にブロックすることができる。
【００１２】
このマチ付ポケットマスクにおいては、
前記内層部の上部には、内層部と利用者の鼻部との隙間を狭めるためのノーズワイヤーが設けられている構成とすることができる。
【００１３】
このように構成すると、マスクと利用者の鼻部との隙間を狭めることができる。
【００１４】
このマチ付ポケットマスクにおいては、
前記内層部は、前記外層部側に位置する第１内層部と、この第１内層部よりも使用者の顔側に位置する第２内層部とを有し、
第１内層部と第２内層部との間には第２ポケットが形成され、
この第２ポケットは縦方向に伸びる仕切で左右２室に区画され、
左右２室にはそれぞれ保冷剤を収納可能である構成とすることができる。
【００１５】
このように構成すると、上記左右の２室に保冷剤を入れることで、冷感マスクとして利用でき、また、目が疲れたときにはアイマスクとしても利用することができる。
【００１６】
このマチ付ポケットマスクにおいては、
前記外層部の外面下部には、使用者名を表示可能な表示部が設けられている構成とすることができる。
【００１７】
このように構成すると、表示部に使用者名を表示することができる。
マスクは顔を隠すこととなるため、例えば、表示部に社名や印を表示することで、顧客に安心感をあたえることができる。
【００１８】
このマチ付ポケットマスクにおいては、
前記マチ付きポケットに下部を差し込むことができるフェイスシールドをさらに備え、
このフェイスシールドは、前記マチ付きポケットに差し込むことでマスク上にフェイスシールドを支持する差込部と、
この差込部の上部において、使用者の少なくとも顔面前部を覆うシールド部とを有し、
前記差込部には、通気用開口が設けられている構成とすることができる。
【００１９】
このように構成すると、マスクにフェイスシールドを差し込むことで簡易フェイスシールドとして利用することができる。
差込部には、通気用開口が設けられているので、通気性は確保される。
【００２０】
このマチ付ポケットマスクにおいては、
前記差込部における通気用開口の上部と、該上部に対向するマチ付きポケットの内部には、互いに接合／分離可能な仮固定部材が設けられている構成とすることができる。
【００２１】
このように構成すると、仮固定部材を接合することによってマスクによるフェイスシールドの支持状態を安定化させることができ、不要時には、フェイスシールドを容易に取り外すことができる。
【図面の簡単な説明】
【００２２】
【図１】本考案に係るマチ付ポケットマスクの実施の形態を示す図で、（ａ）は正面図、（ｂ）は図（ａ）における模式的なｂ−ｂ端面図、（ｃ）は図（ａ）における模式的なｃ−ｃ端面図。
【図２】マスク下方から見た作用説明図。
【図３】簡易フェイスシールドを取り付けた状態を示す図で、（ａ）は概略平面図、（ｂ）は概略正面図。
【図４】簡易フェイスシールドを示す図で、（ａ）は平面図、（ｂ）は正面図。
【考案を実施するための形態】
【００２３】
以下、本考案に係るマチ付ポケットマスクの実施の形態について図面を参照して説明する。なお、各図において、同一部分ないし相当する部分には、同一の符号を付してある。
【００２４】
図１に示すように、この実施の形態のマチ付ポケットマスク１は、
使用者の顔の口部（図示せず）を覆うマスクであって、
外側に位置する外層部１０と、この外層部１０よりも使用者の口部側に位置する内層部２０とを有している。
【００２５】
外層部１０には、使用者の口部を覆う面積を有する非通気性シート１１が設けられている。
外層部１０と内層部２０との間には、空気（図（ｃ）矢印Ａ参照）の通路を形成する、マチ３１を有するマチ付きポケット３０が設けられている。
【００２６】
このマチ付ポケットマスク１は上記の構成となっているので、次のような作用効果が得られる。
【００２７】
外側に位置する外層部１０と、この外層部１０よりも使用者の口部側に位置する内層部２０とを有し、外層部１０には、使用者の口部を覆う面積を有する非通気性シート１１が設けられているので、この非通気性シート１１によって、正面（矢印Ｆ参照）からの飛沫を有効にブロックすることができる。
【００２８】
非通気性シート１１が設けられていることによって通気性は低下するが、外層部１０と内層部２０との間には、空気（Ａ）の通路を形成する、マチ３１を有するマチ付きポケット３０が設けられているので、このマチ付きポケット３０によって、通気性が確保される。
【００２９】
マスク１の下部１Ｄには、使用者の顔面ＵＦ（図２参照）とマスク１の下部１Ｄとの間に空気通路用の隙間（Ａ）を形成可能な空気通路用ワイヤー４１が設けられている。
【００３０】
このように構成すると、マスク下部１Ｄからの通気を得るようにもすることができる。
利用者によっては、上記マチ付きポケット３０による通気性だけでは不十分であると感じることもあり得るので、例えば図２に示すように、空気通路用ワイヤー４１を山形に曲げ、使用者の顔面ＵＦ（例えばあご部分）に空気通路（Ａ）を作る。
【００３１】
内層部２０には、使用者の口部を覆う面積を有する花粉カットフィルター２５が２枚重ねで設けられている。
【００３２】
このように構成すると、花粉も有効にブロックすることができる。
【００３３】
内層部２０の上部には、内層部２０と利用者の鼻部との隙間を狭めるためのノーズワイヤー４２が設けられている。
【００３４】
このように構成すると、マスク１と利用者の鼻部との隙間を狭めることができる。
【００３５】
内層部２０は、外層部１０側に位置する第１内層部２１と、この第１内層部２１よりも使用者の顔側に位置する第２内層部２２とを有している。
【００３６】
第１内層部２１と第２内層部２２との間には第２ポケット２３が形成され、この第２ポケット２３は縦方向に伸びる仕切（縫着部による仕切）２４で左右２室に区画されている。左右２室（２３、２３）にはそれぞれ保冷剤４４を収納可能である。
【００３７】
このように構成すると、上記左右の２室（２３、２３）に保冷剤４４を入れることで、冷感マスクとして利用でき、また、目が疲れたときにはアイマスクとしても利用することができる。
【００３８】
外層部１０の外面下部には、使用者名を表示可能な表示部１３が設けられている。
【００３９】
このように構成すると、表示部１３に使用者名を表示することができる。
マスク１は顔を隠すこととなるため、例えば、表示部１３に社名（例えば図１（ａ）に示すように株式会社○○○○）や印を表示することで、顧客に安心感をあたえることができる。
【００４０】
図３に示すように、この実施の形態のマスク１は、マチ付きポケット３０に下部を差し込むことができるフェイスシールド５０をさらに備えた構成とすることができる。
【００４１】
図４に示すように、フェイスシールド５０は、マチ付きポケット３０に差し込むことでマスク１上にフェイスシールド５０を支持する差込部５１と、
この差込部５１の上部において、使用者の少なくとも顔面前部を覆うシールド部５２とを有している。
差込部５１には、通気用開口５３が設けられている。
【００４２】
このように構成すると、マスク１にフェイスシールド５０を差し込むことで簡易フェイスシールドないし簡易口元フェイスシールドとして利用することができる。
差込部５１には、通気用開口５３が設けられているので、通気性は確保される。
【００４３】
差込部５１における通気用開口５３の上部と、該上部に対向するマチ付きポケット３０の内部には、互いに接合／分離可能な仮固定部材５４、３４が設けられている。
【００４４】
このように構成すると、仮固定部材５４、３４を接合することによってマスク１によるフェイスシールド５０の支持状態を安定化させることができ、不要時には、フェイスシールド５０を容易に取り外すことができる。
仮固定部材５４、３４は、公知の面ファスナー等で構成することができる。
【００４５】
外層部１０、内層部２０は、いずれも公知の通気性を有するシート材、例えば布帛、ガーゼ等で構成することができる。
【００４６】
外層部１０および内層部２０は、上部で２つ折りした布帛（またはガーゼ）を図１（ｂ）に示すように、左右両端部にマチ３１を形成するように折り畳み、両端部を縫着し（縫着部を符号３５で示す）、下端部も縫着することで構成されている（縫着部を符号３６で示す）。左右の縫着部３５の外側に、耳掛け部２の取付スペース３７が設けられている。
【００４７】
非通気性シート１１は、外層部１０の表面側または内面側に貼付または縫着しても良いが、この実施の形態では、上部で２つ折りした布帛（またはガーゼ）で形成した外層部１０の布帛の間に収納している。
２枚の花粉カットフィルター２５も同様であり、上部で２つ折りした布帛（またはガーゼ）で形成した内層部２０の布帛の間に収納している。
【００４８】
非通気性シート１１は、通気性を有しない公知の適宜のシート材、例えば、油紙、ビニールシート、レインコート材、４０Ｄナイロン生地に撥水防水処理を施したシート材で構成できる。ＵＶカット処理を施しても良い。
【００４９】
花粉カットフィルター２５も公知の適宜の花粉カットフィルター、例えば花粉９３％カットフィルターで構成することができる。
【００５０】
空気通路用ワイヤー４１、ノーズワイヤー４２は、いずれも公知のマスク用のワイヤーで構成することができる。
【００５１】
フェイスシールド５０は公知の材料、例えば、透明な合成樹脂シートで構成することができる。
【００５２】
以上、本考案の実施の形態について説明したが、本考案は上記の実施の形態に限定されるものではなく、本考案の要旨の範囲内において適宜変形実施可能である。
【符号の説明】
【００５３】
１：    マチ付ポケットマスク
１０：    外層部
１１：    非通気性シート
１３：    表示部
２０：    内層部
２１：    第１内層部
２２：    第２内層部
２３：    第２ポケット
２５：    花粉カットフィルター
３０：    マチ付きポケット
３１：    マチ
３４，５４：仮固定部材
４１：    空気通路用ワイヤー
４２：    ノーズワイヤー
４４：    保冷剤
５０：    フェイスシールド
５１：    差込部
５２：    シールド部
５３：    通気用開口
【図１】
0003229442.tif 000003
【図２】
0003229442.tif 000004
【図３】
0003229442.tif 000005
【図４】
0003229442.tif 000006